(57)【要約】ここに提供されたのは、家電機器ドアのドアロック装置である。前記ドアロック装置では、ラッチの進入により安全ピンの移動とスライダーの解除とが可能になる。前記スライダーはソレノイドによって移動して家電機器を電源に接続する。前記ドアロック装置は、前記ドアの開閉状態を検出するマイクロスイッチ（２０）と、電力によって駆動されるソレノイド（８０）と、前記ソレノイド（８０）によって動作し、その中に中空部（３１）を持つスライダー（３０）と、前記中空部（３１）内に位置付けられ、バネ（４１）によって弾性的に支持された安全ピン（４０）と、前記ラッチ（１０）を回転自在に保持するカム（５０）と、さらに、前記スライダー（３０）によって前記カム（５０）の回転を規制する揺動部（６０）と、からなる。前記ラッチ（１０）は前記安全ピン（４０）を前記スライダー（３０）の中空部外側に移動させるため、前記スライダー（３０）を前記ソレノイド（８０）によって移動することができる。【選択図】図２
2010523849.tif 000002
【特許請求の範囲】
【請求項１】
二重安全手段を備えたドアロック装置であって、前記ドアの開閉状態を検出するマイクロスイッチ（２０）と、供給電源によって駆動されるソレノイド（２０）と、その内部領域に中空部（３１）を備え、前記ソレノイド（８０）の駆動によって移動されるスライダー（３０）と、前記スライダー（３０）の中空部（３１）に位置付けられ、弾性バネ（４１）によって弾性的に支持される安全ピン（４０）と、回転することができ、進入するラッチ（１０）を支持するカム（５０）と、前記スライダー（３０）の移動によって生じる前記カム（５０）の回転を防止する揺動部（６０）と、からなり、そこで、前記ラッチ（１０）、前記スライダー（３０）の中空部（３１）及び前記安全ピン（４０）は同軸線上に位置決めされ、前記ラッチ（１０）の進入は前記安全ピン（４０）を前記スライダー（３０）の中空部（３１）外側に移動させ、その結果、前記スライダー（３０）が前記ソレノイド（８０）の駆動によって可動となることを特徴とするドアロック装置。
【請求項２】
前記カム（５０）は向かい合う一対のフック状要素で作られ、溝（５１１，５２２）が前記カム（５１，５２）の中央部に設けられ、さらに、前記安全ピン（４０）は、前記ラッチ（１０）の進入によって前記溝（５１１，５２２）内に導入されることを特徴とする請求項１記載のドアロック装置。
【請求項３】
前記揺動部（６０）は前記スライダー（３０）の移動によって前記１対のカム（５０）相互間に位置決めされ、それによって前記カムの回転を規制することを特徴とする請求項１記載のドアロック装置。
【請求項４】
前記ラッチを係合する前記安全ピン（４０）の一部は前記ラッチの進入方向に沿って所定の湾曲部を備えることを特徴とする請求項１記載のドアロック装置。
【発明の詳細な説明】
【技術分野】
【０００１】
本発明は、家電機器ドアのロックと解除を行うドアロック装置に関し、より具体的には、ラッチの進入が安全ピンを移動させてスライダーをその拘束状態から解放し、ソレノイドの駆動が前記スライダーを移動させて家電機器をその動作に必要な電源に接続することを特徴とするドアロック装置に関する。
【背景技術】
【０００２】
家電機器のドアロック装置１には、前記ドアの開閉状態を確認するマイクロスイッチ２０（図１を参照）が設けられている。
【０００３】
前記ドアが閉じられると前記マイクロスイッチ２０は押されて家電機器はスタンバイ状態になり、そこで、家電機器は動作可能となるが、前記ドアが開けられると前記マイクロスイッチ２０の押された状態は解除されるため、家電機器の動作が中断する。
【０００４】
前記マイクロスイッチ２０が前記ドアの閉状態を検出すると、ユーザーによる駆動信号を介して、前記ソレノイドに電力が供給されて前記ソレノイドが駆動されるため、その接触端子は前記ソレノイドの駆動により通電されて家電機器が動作するようになる。
【０００５】
図１に示したドアロック装置では、前記ドアの開状態下で、前記マイクロスイッチ２０が人工圧力によって押されると前記マイクロスイッチ２０は前記ドアが閉じられたとみなすため、スタンバイ状態に転換してしまう。
【０００６】
前記スタンバイ状態下では、家電機器を随時に動作させることができ、その結果、ユーザーは事前警告なしの動作によって生じる危険にさらされることになる。
【発明の概要】
【発明が解決しようとする課題】
【０００７】
当該問題を解決する本発明では、前記ドアが閉じられて前記マイクロスイッチ２０が押され、スタンバイ状態になると、前記スライダーは前記ソレノイドによって移動され、その移動は安全ピンによって拘束され、前記安全ピンは前記ラッチの進入によって移動され、その結果、前記スライダーが可動となり、家電機器が動作され、かくして、二重安全手段を備えたドアロック装置が提供される。
【課題を解決するための手段】
【０００８】
本発明の目的を達成する家電機器用の二重安全手段を備えたドアロック装置は、前記ドアの開閉状態を検出するマイクロスイッチ２０と、供給電源によって駆動されるソレノイド２０と、その内部領域に中空部３１を備え、前記ソレノイド８０の駆動によって移動されるスライダー３０と、前記スライダー３０の中空部３１に位置付けられ、弾性バネ４１によって弾性的に支持される安全ピン４０と、回転することができ、進入するラッチ１０を支持するカム５０と、前記スライダー３０の移動によって生じる前記カム５０の回転を防止する揺動部６０と、からなり、そこで、前記ラッチ１０、前記スライダー３０の中空部３１及び前記安全ピン４０は同軸線上に位置決めされ、前記ラッチ１０の進入は前記安全ピン４０を前記スライダー３０の中空部３１外側に移動させ、その結果、前記スライダー３０が前記ソレノイド８０の駆動によって可動となることを特徴とする。
【０００９】
好ましくは、前記カム５０は、向かい合う一対のフック状要素で作られ、溝５１１，５２２を前記それぞれのカム５１，５２の中央部に備え、前記安全ピン４０は前記ラッチ１０の進入によって前記溝５１１，５２２内に導入される。
【００１０】
さらに、前記揺動部６０は前記スライダー３０の移動によって前記１対のカム５０相互間に位置決めされるので、家電機器の動作中に前記カムの回転を規制し、それによって前記ドアの開口を防止できるようになっている。
【発明の効果】
【００１１】
本発明によれば、前記マイクロスイッチ２０が前記ドアの閉鎖によって押されてスタンバイ状態になると、前記スライダーの移動は前記スライダーの中空部内に位置付けられる前記安全ピンによって拘束され、前記ラッチの進入なしに家電機器を動作させることができないことから、二重安全手段を備えたドアロック装置が提供される。
【００１２】
さらに、家電機器の動作中に、前記揺動部は前記カムの回転を防止するため、前記ラッチの解除が防止される。
【図面の簡単な説明】
【００１３】
【図１】図１は当技術のドアロック装置を示す斜視図である。
【図２】図２は本発明に係るドアロック装置を示す分解図である。
【図３】図３は前記安全ピン、カム及び揺動部を示す斜視図である。
【図４】図４は前記ラッチ進入前の前記ドアロック装置を示す平面図である。
【図５】図５は、図４のＡ−Ａ'断面図を示す。
【図６】図６は前記ラッチ進入後の前記ドアロック装置を示す平面図である。
【図７】図７は、図６のＢ−Ｂ’断面図を示す。
【発明を実施するための形態】
【００１４】
以下、本発明に係る二重安全手段を備えたドアロック装置を添付図面を参照して説明する。
【００１５】
図２は本発明に係るドアロック装置を示す分解斜視図である。
【００１６】
その構成に関して説明すると、本発明に係るドアロック装置は、前記ドアの開閉状態を検出し、その内部構成要素の回転、移動及び解除を防止するベース２１とカバー２２によって形成された領域に位置付けられるマイクロスイッチ２０と、供給電源によって駆動されるソレノイド２０と、その内部領域に中空部３１を備え、前記ソレノイド８０の駆動によって移動されるスライダー３０と、前記スライダーの中空部３１に位置付けられ、弾性バネ４１によって弾性的に支持される安全ピン４０と、回転することができ、進入するラッチ１０を支持するカム５０と、前記スライダー３０の移動によって生じる前記カム５０の回転を防止する揺動部６０と、からなり、そこで、前記ラッチ１０、前記スライダー３０の中空部３１及び前記安全ピン４０は同軸線上に位置決めされ、前記ラッチ１０の進入は前記安全ピン４０を前記スライダー３０の中空部外側に移動させ、それによって前記スライダー３０が前記ソレノイド８０の駆動によって移動できることを特徴とする。
【００１７】
そこでは、フィン５５が前記カム５０の解除と回転を行うことを特徴とする。
【００１８】
上記では、前記ソレノイド８０によって電力が供給される前記接触端子の説明を行っていないが、励起駆動されたソレノイドが前記スライダーを移動させて前記スライダーの接触端子移動突起３７によって前記接触端子に電力を供給するという当該構成は、すでに当技術分野で公知であるため、当業者であれば容易に理解されるであろう。
【００１９】
本発明では、前記スライダー３０は、前記ラッチ１０が通過する前記中空部３１とともに設けられるように形成され、前記安全ピン４０は前記ラッチ１０の進入線上に位置決めされるので、前記ラッチ１０が前記スライダー３０の中空部を貫通する前記安全ピン４０を押すことができるようになっている。
【００２０】
従って、前記ラッチ１０は進入しない一方、前記ソレノイド８０が励起駆動されるときでさえも、前記安全ピン４０は前記スライダー３０の中空部３０内に位置決めされて前記スライダー３０の移動を規制するため、前記スライダー３０は移動しない。
【００２１】
以下、本発明に係る安全ピン、カム及び揺動部を詳細に説明する。
【００２２】
図３は本発明に係る安全ピン、カム及び揺動部を示す斜視図である。
【００２３】
前記カム５０は向かい合う一対のフック状要素５１，５２で作られ、溝５１１，５２２が前記カム５１，５２の中央部に設けられている。前記ラッチ１０が進入すると、前記安全ピン４０は前記溝５１１，５２２内に導入される。
【００２４】
換言すると、前記ラッチが進入すると前記安全ピン４０は前記ラッチ１０によって前記カム５０に形成される前記溝５１１，５２２内に挿入され、それによって前記安全ピン４０は前記スライダー３０の中空部３１外側に移動される。
【００２５】
好ましくは、所定の湾曲部が、前記ラッチ１０と係合する前記安全ピン４０の一部に形成される。
【００２６】
前記スライダー３０の中空部を形成する前記サイドフレーム上には、前記揺動部６０と係合する揺動部操作突起３６が設けられる（図２を参照）。
【００２７】
前記揺動部操作突起３６は所定の傾斜角度を持つため、前記揺動部６０が前記スライダー３０の移動によってその傾斜角度に沿って移動できるようになっている。
【００２８】
前記揺動部操作突起３６は、前記揺動部操作突起３６の移動に応じて前記揺動部６０を左右方向（前記図に示したように）に移動させる所定の溝を備えるが、前記揺動部６０は前記溝に沿って移動する突起を備えることから、前記突起も前記溝に沿って移動する。
【００２９】
前記揺動部６０は、向かい合う前記１対のカム５１，５２相互間に位置決めされ、前記スライダー３０の移動によって操作され、前記スライダー３０の移動によって前記カム５１とカム５２との間に挿入され、その結果、前記カム５１，５２の回転を規制する。
【００３０】
前記揺動部の動作は、次の動作平面図と断面図を参照して完全に理解されるであろう。
【００３１】
図４は、前記ラッチ進入前の前記ドアロック装置を示す平面図であり、図５は、図４のＡ−Ａ'断面図を示す。
【００３２】
前記ラッチ１０が進入するまでは、前記安全ピン４０は前記ラッチ進入線上で前記スライダー３０の中空部内に位置決めされ、前記カム５１，５２に形成された前記溝５１１，５２２に導入される。
【００３３】
前記安全ピン４０は前記弾性バネ４１によって弾性的に支持される。
【００３４】
上記状態条件下、前記安全ピン４０は前記スライダー４０に位置決めされるので、前記スライダー３０の移動は防止される。
【００３５】
さらに、前記揺動部６０は向かい合って前記カム５１，５２の上部（図中の右領域）に位置決めされるので、前記カム５１，５２の回転を規制しないようになっている。
【００３６】
以下、前記ラッチの進入状態を説明する。
【００３７】
図６は前記ラッチ進入後の前記ドアロック装置を示す平面図であり、図７は、図６のＢ−Ｂ’断面図を示す。
【００３８】
ラッチ１０が進入するにつれて、該ラッチは前記安全ピン４０を左から右（図中の右方向）に押し、前記安全ピン４０は前記スライダー３０の中空部３１外側に移動されるため、前記スライダー３０を規制しない。
【００３９】
上記状態下では、前記安全ピン４０を所定の範囲内で移動させることができ、ユーザーによる信号が前記接触端子を介して前記ソレノイド８０に伝送されると前記ソレノイド８０を駆動するので、前記スライダー３０を前記上部領域（図中の上部方向）に移動できるようになっている。
【００４０】
前記揺動部６０は、前記スライダー３０の移動によって前記スライダー３０の中空部３１を形成する前記サイドフレーム上に設けられた前記揺動部操作突起３６の傾斜角度に沿って、前記カム５１，５２の回転半径の内部領域に挿入されるため、前記カム５１，５２の回転が防止される。
【００４１】
本発明では、前記スライダー３０は、前記ラッチ１０の進入によって前記安全ピン４０が前記スライダー３０の中空部３１外側に移動された後のみに移動させることができる。
【００４２】
通常の家電機器のドアロック装置では、前記カムは前記ラッチを保持・把持し、単一ユニットで作られるラッチ部を備える。本発明では、前記カムは一対の相対する要素で構成されるが、単一ユニットで作られてもよい。前記カムの形状は、当業者によるさまざまな変更形態の対象となり得るが、それらは本発明の範囲内に抱合されるものであり、本特許請求の範囲は本発明の実施形態を例示する図面によって限定されるものではない。
【符号の説明】
【００４３】
１０…ラッチ、２０…マイクロスイッチ、２１…ベース、２２…カバー、３０…スライダー、３１…中空部、３６…揺動部操作突起、３７…接触端子移動突起、４０…安全ピン、４１…弾性バネ、５０，５１，５２…カム、６０…揺動部、６１…揺動部弾性バネ、７０…接触端子、８０…ソレノイド。
【図１】
2010523849.tif 000003
【図２】
2010523849.tif 000004
【図３】
2010523849.tif 000005
【図４】
2010523849.tif 000006
【図５】
2010523849.tif 000007
【図６】
2010523849.tif 000008
【図７】
2010523849.tif 000009
【国際調査報告】
2010523849.tif 000010
2010523849.tif 000011